(57)【特許請求の範囲】
【請求項１】
モバイル装置のサービスを無線通信を介して利用する情報処理装置であって、
前記モバイル装置と前記無線通信を行う無線通信部と、
前記モバイル装置が近距離に接近したときに当該モバイル装置と近距離無線通信を行う近距離無線通信部と、
前記近距離無線通信部と前記モバイル装置との近距離無線通信の接続が発生する度に、選択状態とする当該モバイル装置のサービスを切り替え、所定の契機で、当該時点において選択状態に設定されているサービスを、当該情報処理装置が前記無線通信を介して利用する当該モバイル装置のサービスに設定する利用サービス設定部と、
当該情報処理装置がサービスを利用したことのある各モバイル装置について、当該モバイル装置のサービスのうちで当該情報処理装置が最後に利用したサービスを管理する最終利用サービス管理部とを備え、
前記利用サービス設定部は、前記近距離無線通信部と前記モバイル装置との近距離無線通信の接続が発生したときに、当該モバイル装置について前記最終利用サービス管理部が管理しているサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該情報処理装置が前記無線通信を介して利用する当該モバイル装置のサービスに設定することを特徴とする情報処理装置。
【請求項２】
請求項１記載の情報処理装置であって、
自動登録接続部を有し、
前記無線通信部は、当該情報処理装置に登録済のモバイル装置と前記無線通信を接続し、
前記自動登録接続部は、前記近距離無線通信部と当該情報処理装置に未登録の前記モバイル装置との近距離無線通信の接続が発生したときに、当該モバイル装置を当該情報処理装置に登録すると共に、前記無線通信部に、当該モバイル装置との無線通信を接続させ、
前記利用サービス設定部は、前記近距離無線通信部と前記モバイル装置との近距離無線通信の接続が発生したときに、当該モバイル装置について前記最終利用サービス管理部がサービスを管理していない場合には、所定のサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該情報処理装置が前記無線通信を介して利用する当該モバイル装置のサービスに設定することを特徴とする情報処理装置。
【請求項３】
請求項１または２記載の情報処理装置であって、
前記利用サービス設定部は、前記近距離無線通信部と前記モバイル装置との近距離無線通信の接続が発生したときに、前記所定の契機が発生するまで、当該モバイル装置のサービスの一覧を表示すると共に、当該一覧上で前記選択状態となっているサービスを強調表示することを特徴とする情報処理装置。
【請求項４】
請求項１、２または３記載の情報処理装置であって、
前記所定の契機は、所定期間以上の、モバイル装置との近距離無線通信の接続の非発生であることを特徴とする情報処理装置。
【請求項５】
モバイル装置のサービスを無線通信を介して利用する情報処理装置であって、
前記モバイル装置と前記無線通信を行う無線通信部と、
前記モバイル装置が近距離に接近したときに当該モバイル装置と近距離無線通信を行う近距離無線通信部と、
前記近距離無線通信部と前記モバイル装置との近距離無線通信の接続が発生したときに、当該モバイル装置から前記近距離無線通信もしくは前記無線通信を介して、当該モバイル装置が検出している当該モバイル装置の傾きを取得し、取得した傾きに予め対応づけられているサービスを、当該情報処理装置が前記無線通信を介して利用する当該モバイル装置のサービスに設定する利用サービス設定部とを有することを特徴とする情報処理装置。
【請求項６】
請求項５記載の情報処理装置であって、
前記利用サービス設定部は、前記傾きを取得したときに、当該傾きに予め対応づけられているサービスを表示することを特徴とする情報処理装置。
【請求項７】
請求項１、２、３、４、５または６記載の情報処理装置であって、
前記無線通信は、Bluetooth(登録商標）規格の無線通信であり、
前記近距離無線通信は、NFC(Near Field Communication）規格の近距離無線通信であることを特徴とする情報処理装置。
【請求項８】
請求項１、２、３、４、５、６または７記載の情報処理装置であって、
当該情報処理装置は自動車に搭載される車載型の情報処理装置であることを特徴とする情報処理装置。
【請求項９】
モバイル装置と前記無線通信を行う無線通信部と、モバイル装置が近距離に接近したときに当該モバイル装置と近距離無線通信を行う近距離無線通信部とを備え、モバイル装置のサービスを無線通信を介して利用するコンピュータによって読み取られ実行されるコンピュータプログラムであって、
前記コンピュータを、
前記近距離無線通信部と前記モバイル装置との近距離無線通信の接続が発生する度に、選択状態とする当該モバイル装置のサービスを切り替え、所定の契機で、当該時点において選択状態に設定されているサービスを、当該コンピュータが前記無線通信を介して利用する当該モバイル装置のサービスに設定する利用サービス設定部と、
当該コンピュータがサービスを利用したことのある各モバイル装置について、当該モバイル装置のサービスのうちで当該コンピュータが最後に利用したサービスを管理する最終利用サービス管理部として機能させ、
前記利用サービス設定部は、前記近距離無線通信部と前記モバイル装置との近距離無線通信の接続が発生したときに、当該モバイル装置について前記最終利用サービス管理部が管理しているサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該コンピュータが前記無線通信を介して利用する当該モバイル装置のサービスに設定することを特徴とするコンピュータプログラム。
【請求項１０】
請求項９記載のコンピュータプログラムであって、
当該コンピュータプログラムは、前記コンピュータを、さらに自動登録接続部として機能させ、
前記無線通信部は、当該コンピュータに登録済のモバイル装置と前記無線通信を接続し、
前記自動登録接続部は、前記近距離無線通信部と当該コンピュータに未登録の前記モバイル装置との近距離無線通信の接続が発生したときに、当該モバイル装置を当該コンピュータに登録すると共に、前記無線通信部に、当該モバイル装置との無線通信を接続させ、
前記利用サービス設定部は、前記近距離無線通信部と前記モバイル装置との近距離無線通信の接続が発生したときに、当該モバイル装置について前記最終利用サービス管理部がサービスを管理していない場合には、所定のサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該コンピュータが前記無線通信を介して利用する当該モバイル装置のサービスに設定することを特徴とするコンピュータプログラム。
【請求項１１】
請求項９または１０記載のコンピュータプログラムであって、
前記利用サービス設定部は、前記近距離無線通信部と前記モバイル装置との近距離無線通信の接続が発生したときに、前記所定の契機が発生するまで、当該モバイル装置のサービスの一覧を表示すると共に、当該一覧上で前記選択状態となっているサービスを強調表示することを特徴とするコンピュータプログラム。
【請求項１２】
請求項９、１０または１１記載のコンピュータプログラムであって、
前記所定の契機は、所定期間以上の、モバイル装置との近距離無線通信の接続の非発生であることを特徴とするコンピュータプログラム。
【請求項１３】
モバイル装置と前記無線通信を行う無線通信部と、モバイル装置が近距離に接近したときに当該モバイル装置と近距離無線通信を行う近距離無線通信部とを備え、モバイル装置のサービスを無線通信を介して利用するコンピュータによって読み取られ実行されるコンピュータプログラムであって、
前記コンピュータを、前記近距離無線通信部と前記モバイル装置との近距離無線通信の接続が発生したときに、当該モバイル装置から前記近距離無線通信もしくは前記無線通信を介して、当該モバイル装置が検出している当該モバイル装置の傾きを取得し、取得した傾きに予め対応づけられているサービスを、当該コンピュータが前記無線通信を介して利用する当該モバイル装置のサービスに設定する利用サービス設定部として機能させることを特徴とするコンピュータプログラム。
【請求項１４】
請求項１３記載のコンピュータプログラムであって、
前記利用サービス設定部は、前記傾きを取得したときに、当該傾きに予め対応づけられているサービスを表示することを特徴とするコンピュータプログラム。
【請求項１５】
請求項９、１０、１１、１２、１３または１４記載のコンピュータプログラムであって、
前記無線通信は、Bluetooth(登録商標）規格の無線通信であり、
前記近距離無線通信は、NFC(Near Field Communication）規格の近距離無線通信であることを特徴とするコンピュータプログラム。
【請求項１６】
請求項９、１０、１１、１２、１３、１４または１５記載のコンピュータプログラムであって、
前記コンピュータは自動車に搭載されたコンピュータであることを特徴とするコンピュータプログラム。
【発明の詳細な説明】
【技術分野】
【０００１】
本発明は、情報処理装置において、当該情報処理装置に接続されたモバイル装置の利用を支援する技術に関するものである。
【背景技術】
【０００２】
情報処理装置において、当該情報処理装置に接続されたモバイル装置の利用を支援する技術としては、ＮＦＣ（Near Field Communication）による通信が接続したモバイル装置との間で、ＮＦＣによる通信でモバイル装置から取得した情報を用いて、Bluetooth（登録商標）のペアリングを自動的に確立する情報処理装置において、ＮＦＣによる通信が接続した時点でモバイル装置においてフォアグランドで実行されているアプリケーションが提供する機能を、情報処理装置から利用するモバイル装置の機能として自動的に設定する技術が知られている（たとえば、特許文献１）。
【先行技術文献】
【特許文献】
【０００３】
【特許文献１】特開２０１４-１９２６７９号公報
【発明の概要】
【発明が解決しようとする課題】
【０００４】
上述したＮＦＣによる通信が接続した時点でモバイル装置においてフォアグランドで実行されているアプリケーションの機能を、情報処理装置から利用するモバイル装置の機能として自動的に設定する技術によれば、情報処理装置とモバイル装置との間のＮＦＣによる通信を接続する前に、ユーザが、モバイル装置を操作して、情報処理装置から利用するモバイル装置の機能を提供するアプリケーションをフォアグランドで実行されている状態とする必要があり、煩雑である。
【０００５】
そこで、本発明は、接続されたモバイル装置の機能を利用した処理を行う情報処理装置において、情報処理装置から利用するモバイル装置の機能を、より容易に設定可能とすることを課題とする。
【課題を解決するための手段】
【０００６】
前記課題達成のために、本発明は、モバイル装置のサービスを無線通信を介して利用する情報処理装置に、前記モバイル装置と前記無線通信を行う無線通信部と、前記モバイル装置が近距離に接近したときに当該モバイル装置と近距離無線通信を行う近距離無線通信部と、前記近距離無線通信部と前記モバイル装置との近距離無線通信の接続が発生する度に、選択状態とする当該モバイル装置のサービスを切り替え、所定の契機で、当該時点において選択状態に設定されているサービスを、当該情報処理装置が前記無線通信を介して利用する当該モバイル装置のサービスに設定する利用サービス設定部とを備えたものである。
【０００７】
ここで、このような情報処理装置は、当該情報処理装置に、さらに、当該情報処理装置がサービスを利用したことのある各モバイル装置について、当該モバイル装置のサービスのうちで当該情報処理装置が最後に利用したサービスを管理する最終利用サービス管理部を備え、前記利用サービス設定部において、前記近距離無線通信部と前記モバイル装置との近距離無線通信の接続が発生したときに、当該モバイル装置について前記最終利用サービス管理部が管理しているサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該情報処理装置が前記無線通信を介して利用する当該モバイル装置のサービスに設定するように構成してもよい。
【０００８】
また、以上の情報処理装置は、当該情報処理装置に、さらに、自動登録接続部を設け、前記無線通信部において、当該情報処理装置に登録済のモバイル装置と前記無線通信を接続し、前記自動登録接続部において、前記近距離無線通信部と当該情報処理装置に未登録の前記モバイル装置との近距離無線通信の接続が発生したときに、当該モバイル装置を当該情報処理装置に登録すると共に、前記無線通信部に、当該モバイル装置との無線通信を接続させ、前記利用サービス設定部において、前記近距離無線通信部と前記モバイル装置との近距離無線通信の接続が発生したときに、当該モバイル装置について前記最終利用サービス管理部がサービスを管理していない場合には、所定のサービスを選択状態に設定すると共に、以降、当該モバイル装置との近距離無線通信の接続が発生する度に、前記選択状態とする当該モバイル装置のサービスを切り替え、所定の契機で、当該時点において選択状態に設定されているサービスを、当該情報処理装置が前記無線通信を介して利用する当該モバイル装置のサービスに設定するように構成してもよい。
【０００９】
また、以上の情報処理装置は、前記利用サービス設定部において、前記近距離無線通信部と前記モバイル装置との近距離無線通信の接続が発生したときに、前記所定の契機が発生するまで、当該モバイル装置のサービスの一覧を表示すると共に、当該一覧上で前記選択状態となっているサービスを強調表示するように構成することも好ましい。
【００１０】
また、以上の情報処理装置において、前記所定の契機は、所定期間以上の、モバイル装置との近距離無線通信の接続の非発生としてもよい。
以上のような情報処理装置によれば、、ユーザは、モバイル装置を情報処理装置に近づけるだけの容易な操作で、情報処理装置において利用するモバイル装置のサービスを設定したり切り替えることができるようになる。
【００１１】
また、前記課題達成のために、本発明は、モバイル装置のサービスを無線通信を介して利用する情報処理装置に、前記モバイル装置と前記無線通信を行う無線通信部と、前記モバイル装置が近距離に接近したときに当該モバイル装置と近距離無線通信を行う近距離無線通信部と、前記近距離無線通信部と前記モバイル装置との近距離無線通信の接続が発生したときに、当該モバイル装置から前記近距離無線通信もしくは前記無線通信を介して、当該モバイル装置が検出している当該モバイル装置の傾きを取得し、取得した傾きに予め対応づけられているサービスを、当該情報処理装置が前記無線通信を介して利用する当該モバイル装置のサービスに設定する利用サービス設定部とを備えたものである。
【００１２】
ここで、このような情報処理装置は、前記利用サービス設定部において、前記傾きを取得したときに、当該傾きに予め対応づけられているサービスを表示するように構成することも好ましい。
【００１３】
このような情報処理装置によれば、ユーザは、利用したいモバイル装置のサービスに対応する傾きに傾けた状態で、モバイル装置を情報処理装置に近づけるだけで、当該所望のサービスを、情報処理装置が前記無線通信を介して利用する当該モバイル装置のサービスに設定することができるようになる
ここで、以上の各情報処理装置において、前記無線通信は、たとえば、Bluetooth(登録商標）規格の無線通信であり、前記近距離無線通信は、たとえば、NFC(Near Field Communication）規格の近距離無線通信である。
【００１４】
また、以上の情報処理装置は自動車に搭載される車載型の情報処理装置であってもよい。
【発明の効果】
【００１５】
以上のように、本発明によれば、接続されたモバイル装置の機能を利用した処理を行う情報処理装置において、情報処理装置から利用するモバイル装置の機能を、より容易に設定可能となる。
【図面の簡単な説明】
【００１６】
【図１】本発明の実施形態に係る車載装置とモバイル装置の構成を示すブロック図である。
【図２】本発明の実施形態に係る車載装置とモバイル装置の配置を示す図である。
【図３】本発明の実施形態に係るモバイル装置情報テーブルを示す図である。
【図４】本発明の実施形態に係る利用サービス設定処理を示すフローチャートである。
【図５】本発明の実施形態に係る利用サービス設定処理による表示画面を示す図である。
【図６】本発明の実施形態に係る利用サービス設定処理の動作例を示すシーケンス図である。
【図７】本発明の実施形態に係る利用サービス設定処理を示すフローチャートである。
【発明を実施するための形態】
【００１７】
以下、本発明の実施形態を自動車に搭載される車載装置への適用を例にとり説明する。
図１に車載装置とモバイル装置の構成を示す。
図示するように、車載装置１は入力装置１０１、表示装置１０２、マイクやスピーカなどを備えた音声入出力装置１０３、Bluetoothの規格に従った無線通信を行うＢＴインタフェース１０４、ＮＦＣの規格に従った近距離無線通信を行うＮＦＣインタフェース１０５、車載装置１のオペレーティングシステム１０６、オペレーティングシステム１０６上で稼働するアプリケーション、記憶装置１０７、その他の周辺装置１０８とを備えている。
【００１８】
また、車載装置１は、上述したアプリケーションとして、接続制御ＡＰＰ１１１、ハンズフリーテレフォンＡＰＰ１１２（ＨＦＴ  ＡＰＰ１１２）、モバイル装置ＵＩ制御ＡＰＰ１１３、メディアプレイヤＡＰＰ１１４などを備えている。
【００１９】
ここで、接続制御ＡＰＰ１１１は、モバイル装置２とＢＴインタフェース１０４との接続を制御する処理や、車載装置１が利用するＢＴインタフェース１０４に接続したモバイル装置２のサービスを設定し、設定したサービスを利用する車載装置１の機能を起動する処理などを行う。また、ハンズフリーテレフォンＡＰＰ１１２は、ＢＴインタフェース１０４に接続したモバイル装置２が車載装置１に提供するハンズフリーテレフォンサービス（HFTサービス)を利用して、車載装置１の音声入出力装置１０３を通話音声の入出力に用いて行う通話であるハンズフリー通話機能をユーザに提供する。なお、ハンズフリーテレフォンサービスとは、電話通信機能を車載装置１に提供するモバイル装置２の機能である。また、モバイル装置ＵＩ制御ＡＰＰ１１３は、ＢＴインタフェース１０４に接続したモバイル装置２が車載装置１に提供するリモートＵＩサービスを利用して、モバイル装置２の統合的なＵＩを車載装置１においてユーザに提供するリモートＵＩ機能をユーザに提供する。ここで、リモートＵＩサービスとは、APPLE CARPLAY（登録商標）などの、モバイル装置２の統合的なＵＩを車載装置１が提供することを可能とするモバイル装置２の機能である。また、メディアプレイヤＡＰＰ１１４は、記憶装置１０７に記憶されているオーディオコンテンツやビデオコンテンツの再生出力を行う機能や、ＢＴインタフェース１０４に接続したモバイル装置２が車載装置１に提供するストリーミング出力サービスを利用した、モバイル装置２のオーディオ/ビデオコンテンツの再生出力を行う外部コンテンツ再生機能をユーザに提供する。
【００２０】
ただし、以上のような車載装置１は、ハードウエア的には、ＣＰＵやメモリなどを備えたコンピュータを用いて構成されるものであり、オペレーティングシステム１０６や、各アプリケーションは、当該コンピュータが、所定のコンピュータプログラムを実行することにより実現されるものである。
【００２１】
次に、モバイル装置２は、スマートフォンやタブレット装置などの、ユーザによって携帯される装置であり、図示するように、操作部２０１、ディスプレイ２０２、マイクやスピーカなどを備えた音声入出力部２０３、Bluetoothの規格に従った無線通信を行うＢＴインタフェース２０４、ＮＦＣの規格に従った近距離無線通信を行うＮＦＣインタフェース２０５、モバイル装置２のＯＳであるところのモバイルオペレーティングシステム２０６、モバイルオペレーティングシステム２０６上で稼働するアプリケーションであるモバイルアプリケーション、記憶部２０７、移動電話網にアクセスするための移動通信装置２０８、傾斜センサなどの、その他の周辺デバイス２０９を備えている。
【００２２】
また、モバイル装置２は、モバイルアプリケーションとして、移動電話ＡＰＰ２１１、外部ＵＩ提供ＡＰＰ２１２、プレイヤＡＰＰ２１３、メールＡＰＰ２１４などを備えている。
【００２３】
ここで、移動電話ＡＰＰ２１１は、モバイル装置２を移動電話端末として機能させる機能をユーザに提供する他、ＢＴインタフェース２０４に接続した車載装置１に上述したハンズフリーテレフォンサービス（HFTサービス)を提供する。また、外部ＵＩ提供ＡＰＰ２１２は、ＢＴインタフェース２０４に接続した車載装置１に上述したリモートＵＩサービスを提供する。また、プレイヤＡＰＰ２１３は、記憶部２０７に記憶されているオーディオコンテンツやビデオコンテンツの再生出力を行う機能をユーザに提供する他、記憶部２０７に記憶されているオーディオコンテンツやビデオコンテンツをストリーミング出力する上述したストリーミング出力サービスを、ＢＴインタフェース２０４に接続した車載装置１に提供する。
【００２４】
なお、モバイル装置２は、ハードウエア的には、ＣＰＵやメモリなどを備えたコンピュータを用いて構成されるものあり、モバイルオペレーティングシステム２０６や、モバイルアプリケーションなどは、当該コンピュータが、所定のコンピュータプログラムを実行することにより実現されるものである。
【００２５】
ここで、車載装置１は、たとえば、図２ａに示すように、自動車のダッシュボードに表示装置１０２の表示面を自動車後方に向けて配置される。
そして、車載装置１とユーザによって自動車内に持ち込まれたモバイル装置２は、車載装置１のＢＴインタフェース１０４とモバイル装置２のＢＴインタフェース２０４を介して、Bluetoothの規格に従った無線通信によって相互に接続することができる。
【００２６】
また、図２ｂに示すように、車載装置１のＮＦＣインタフェース１０５が備えるアンテナの設置箇所にモバイル装置２が充分に近づけられると、車載装置１とモバイル装置２は、車載装置１のＮＦＣインタフェース１０５とモバイル装置２のＮＦＣインタフェース２０５を介して、ＮＦＣ規格に従った近距離無線通信によって相互に接続される。なお、本実施形態では、車載装置１のＮＦＣインタフェース１０５のアンテナは、左右方向について表示装置１０２の表示画面の中央、上下方向について表示装置１０２の表示画面のすぐ下の位置に配置されているものとする。
【００２７】
次に、車載装置１の記憶装置１０７に格納されるモバイル装置情報テーブルについて説明する。
図３に示すように、モバイル装置情報テーブルは、車載装置１とペアリング済のモバイル装置毎に対応して設けられたエントリ（図の各行）を有し、各エントリには対応するモバイル装置２の識別名であるモバイル装置ＩＤと、Bluetoothのアドレスなどの対応するモバイル装置２とBluetoothの通信接続を確立するための情報であるＢＴ接続情報と、対応するモバイル装置２のサービスのうちで車載装置１が最後に利用したサービスを示すデフォルトサービスとが登録されている。
【００２８】
さて、このような車載装置１の構成において、接続制御ＡＰＰ１１１は、モバイル装置情報テーブルに登録されているペアリング済のモバイル装置２とＢＴインタフェース１０４を介して通信可能となったならば、ＢＴインタフェース１０４を制御し、モバイル装置２との間のBluetoothの通信接続を確立する。そして、ペアリング済のモバイル装置２との間のBluetoothの通信接続が確立したならば、モバイル装置情報テーブルの接続が確立したモバイル装置２のエントリにデフォルトサービスとして登録されているモバイル装置２のサービスを用いる車載装置１の機能を起動する。ここで、モバイル装置２のサービスを用いる車載装置１の機能とは、モバイル装置２のサービスが、ハンズフリーテレフォンサービスであれば、ハンズフリーテレフォンＡＰＰ１１２が提供するハンズフリー通話機能であり、モバイル装置２のサービスが、リモートＵＩサービスであれば、モバイル装置ＵＩ制御ＡＰＰ１１３が提供するリモートＵＩ機能であり、モバイル装置２のサービスが、ストリーミング出力サービスであれば、メディアプレイヤＡＰＰ１１４が提供する外部コンテンツ再生機能である。
【００２９】
ここで、車載装置１の機能の起動は、当該機能が利用するサービスを車載装置１から利用可能とするための所定の環境設定をモバイル装置２との間で行ったり、起動する機能を提供するアプリケーションを起動することなどにより行う。すなわち、たとえば、起動する機能がハンズフリー通話であれば、ハンズフリーテレフォンＡＰＰ１１２を起動し、起動する機能がリモートＵＩ機能であれば、モバイル装置ＵＩ制御ＡＰＰ１１３を起動し、起動する機能が外部コンテンツ再生機能であれば、メディアプレイヤＡＰＰ１１４を起動する処理などを、当該機能の起動のために行う。
【００３０】
そして、このように起動された車載装置１のアプリケーションは、当該アプリケーションが用いるモバイル装置２のサービスに接続し、以降、自動的にまたはユーザの指示に応じて、当該サービスを利用した機能の提供を開始する。
【００３１】
また、接続制御ＡＰＰ１１１は、ＢＴインタフェース１０４を介してモバイル装置２と接続している期間中に、ユーザの入力装置１０１の操作に従った、車載装置１において実行する機能の変更により、車載装置１が利用するモバイル装置２のサービスの変更が発生したならば、モバイル装置情報テーブルの当該モバイル装置２のエントリにデフォルトサービスとして登録されているサービスを、変更後のサービスに更新する処理も行う。
【００３２】
また、このような車載装置１の接続制御ＡＰＰ１１１は、以上の動作に加え利用サービス設定処理を実行する。
図４に、この利用サービス設定処理の手順を示す。
図示するように接続制御ＡＰＰ１１１は、この利用サービス設定処理において、モバイル装置２とＮＦＣインタフェース１０５との近距離無線通信の接続の発生を監視し（ステップ４０２）、モバイル装置２とＮＦＣインタフェース１０５との接続が発生したならば、ＮＦＣの近距離無線通信を介してモバイル装置２から上述したモバイル装置ＩＤやＢＴ接続情報やサービス情報を取得する（ステップ４０４）。ここで、サービス情報は、モバイル装置２が備えているプロファイルや、モバイル装置２が車載装置１に提供可能なサービスを示す情報である。
【００３３】
また、取得したサービス情報が示すモバイル装置２のサービスを所定の基準に従ってソートする（ステップ４０６）。ここで、この基準は、たとえば、より利用される頻度の大きいサービスがより上位の機能となる基準とする。ただし、モバイル装置情報テーブルの近距離無線通信の接続が発生したモバイル装置２のエントリにデフォルトサービスが登録されている場合には、当該デフォルトサービスとして登録されているサービスを、ソート後の最上位のサービスとするようにしてもよい。
【００３４】
そして、次に、ＮＦＣインタフェース１０５との接続が発生したモバイル装置２がペアリング済のモバイル装置２であるかどうかをモバイル装置情報テーブルを参照して判定する（ステップ４０８）。
【００３５】
そして、ペアリング済のモバイル装置２でないと判定された場合には、モバイル装置情報テーブルに、当該モバイル装置２に対応するエントリを作成し、ステップ４０４で取得したモバイル装置ＩＤ、ＢＴ接続情報を登録する（ステップ４１０）。
【００３６】
また、次に、ステップ４０６でソートしたサービスの順番上、先頭のサービスを利用候補サービスに設定する（ステップ４１２）。
そして、ＢＴインタフェース１０４を制御し、ＮＦＣインタフェース１０５との接続が発生したモバイル装置２との間のBluetoothによる無線通信接続を確立する処理を開始させ（ステップ４１４）、ステップ４１８に進む。
【００３７】
一方、ステップ４０８で、ペアリング済のモバイル装置２であると判定された場合には、当該モバイル装置２のサービスのうちの、ステップ４０６でソートした機能の順番上、モバイル装置情報テーブルのＮＦＣインタフェース１０５との接続が発生したモバイル装置２のエントリに登録されているデフォルトサービスの次のサービスを利用候補サービスに設定し（ステップ４１６）、ステップ４１８に進む。
【００３８】
そして、ステップ４１４またはステップ４１６から、ステップ４１８に進んだならば、ＮＦＣインタフェース１０５との接続が発生したモバイル装置２とＢＴインタフェース１０４との間のBluetoothによる無線通信が確立しているかどうかを調べ、Bluetoothによる無線通信が確立したならば、モバイル装置２のサービスをステップ４０６でソートしたサービスの順番で並べた、図５ａに示すようなサービス一覧画面を表示装置１０２に表示する（ステップ４２０）と共に、サービス一覧画面上において、利用候補サービスに設定されているサービスを選択状態とし、当該サービスを強調表示する（ステップ４２２）。なお、ステップ４２２において、利用候補サービスに設定されているサービスを選択状態とするときに、他のサービスが既に選択状態に設定されているときには、当該他のサービスの選択状態と強調表示は解除した上で、利用候補サービスに設定されているサービスを選択状態に設定し、当該サービスを強調表示する。
【００３９】
次に、所定のタイムアウト時間（例えば、３秒）を設定したタイマをスタートし（ステップ４２４）、ステップ４０２でＮＦＣインタフェース１０５との接続を検出したモバイル装置２と、ＮＦＣインタフェース１０５との近距離無線通信の接続の再発生（ステップ４２６）とタイマのタイムアウトの発生（ステップ４２８）とを監視する。なお、モバイル装置２と、ＮＦＣインタフェース１０５との近距離無線通信の接続は、モバイル装置２を、車載装置１のＮＦＣインタフェース１０５が備えるアンテナの設置箇所から離した時点で切断される。
【００４０】
そして、ＮＦＣインタフェース１０５との近距離無線通信の接続の再発生が発生した場合には（ステップ４２６）、サービス一覧画面上の順番が、選択状態としてるサービスの次の順番であるサービスに、利用候補サービスを更新し（ステップ４３４）、ステップ４２２に進んで、図５ｂに示すように、サービス一覧画面上において、ステップ４３４で更新した後の利用候補サービスに設定されているサービスを選択状態とし、当該サービスを強調表示した上で、タイマを起動し（ステップ４２４）、ステップ４２６、４２８の監視に戻る。
【００４１】
一方、タイムアウトが発生した場合には（ステップ４２８）、モバイル装置情報テーブルの、ステップ４０２でＮＦＣインタフェース１０５との接続を検出したモバイル装置２のエントリのデフォルトサービスを、利用候補サービスに設定されているサービスに更新する（ステップ４３０）。
【００４２】
そして、利用候補サービスに設定されているサービスを用いる車載装置１の機能を起動し（ステップ４３２）、ステップ４０２からの処理に戻る。
以上、車載装置１の接続制御ＡＰＰ１１１が行う利用サービス設定処理について説明した。
なお、以上の利用サービス設定処理では、ＮＦＣインタフェース１０５を介してサービス情報をモバイル装置２から取得するようにしたが、サービス情報は、Bluetoothによる無線通信が確立した後に、ＢＴインタフェース１０４を介して取得するようにしてもよい。
【００４３】
このような利用サービス設定処理によれば、ユーザは、モバイル装置２を車載装置１に近づけるだけで、車載装置１において利用するモバイル装置２のサービスや、車載装置１においてモバイル装置２のサービスを利用して行う機能を設定したり切り替えることができるようになる。すなわち、以上の利用サービス設定処理によれば、ユーザが、モバイル装置２を車載装置１に１度近づけると、図５ａに示すように、モバイル装置２の一覧が表示される。そして、図５ａ、ｂ、ｃに示すように、ユーザがモバイル装置２を車載装置１に近づける度に、選択状態となるサービスが順次切り替わる。そして、ユーザが、所望のサービスが選択状態となった状態で放置すれば、当該時点で選択状態となっているユーザ所望のサービスが、車載装置１において利用するモバイル装置２のサービスに設定され、そのサービスを用いる機能が車載装置１においてモバイル装置２のサービスを利用して行う機能として設定される。
【００４４】
以上、本発明の実施形態について説明した。
ところで、以上の実施形態は、モバイル装置２に周辺装置１０８として傾斜センサを備えると共に、接続制御ＡＰＰ１１１において、図４に示した利用サービス設定処理に代えて、図６に示す利用サービス設定処理を行うようにしてもよい。
【００４５】
以下、図６に示した利用サービス設定処理について説明する。
図６に示した利用サービス設定処理において、接続制御ＡＰＰ１１１は、モバイル装置２とＮＦＣインタフェース１０５との近距離無線通信の接続の発生を監視し（ステップ６０２）、モバイル装置２とＮＦＣインタフェース１０５との接続が発生したならば、ＮＦＣの近距離無線通信を介してモバイル装置２から上述したモバイル装置ＩＤやＢＴ接続情報やサービス情報を取得する（ステップ６０４）。
【００４６】
そして、ＮＦＣインタフェース１０５との接続が発生したモバイル装置２がペアリング済のモバイル装置２であるかどうかをモバイル装置情報テーブルを参照して判定する（ステップ６０６）。
【００４７】
そして、ペアリング済のモバイル装置２でないと判定された場合には、モバイル装置情報テーブルに、当該モバイル装置２に対応するエントリを作成し、ステップ６０４で取得したモバイル装置ＩＤ、ＢＴ接続情報を登録する（ステップ６０８）。
【００４８】
そして、ＢＴインタフェース１０４を制御し、ＮＦＣインタフェース１０５との接続が発生したモバイル装置２との間のBluetoothによる無線通信接続を確立する処理を開始させ（ステップ６１０）、ステップ６１２に進む。
【００４９】
一方、ステップ６０６で、ペアリング済のモバイル装置２であると判定された場合には、そのままステップ６１２に進む。
そして、ステップ６０６またはステップ６１０から、ステップ６１２に進んだならば、ＮＦＣインタフェース１０５との接続が発生したモバイル装置２との間のBluetoothによる無線通信が確立しているかどうかを調べる。
【００５０】
次に、Bluetoothによる無線通信が確立したならば、ＮＦＣインタフェース１０５またはＢＴインタフェース１０４を介して、ステップ６０２でＮＦＣインタフェース１０５との接続を検出したモバイル装置２から傾斜センサが検出している傾斜を取得する（ステップ６１４）。
【００５１】
そして、ステップ６０４で取得したサービス情報に基づいて求まるモバイル装置２のサービスのうち、取得した傾斜角に対応するサービスを利用候補サービスに設定し（ステップ６１６）、たとえば、図７ａに示すように利用候補サービスとしたサービスを表示装置１０２に表示する（ステップ６１８）。ここで、傾斜角とサービスとの対応は予め定め、接続制御ＡＰＰ１１１に設定しておく。すなわち、たとえば、モバイル装置２がユーザから見て左に傾いていることを表している傾斜角には、予めハンズフリーテレフォンサービスを対応づけ、モバイル装置２がユーザから見て右に傾いていることを表している傾斜角には、予めリモートＵＩサービスを対応づけておく。
【００５２】
次に、所定のタイムアウト時間（例えば、３秒）を設定したタイマを起動し（ステップ６２０）、ステップ６０２でＮＦＣインタフェース１０５との接続を検出したモバイル装置２と、ＮＦＣインタフェース１０５との近距離無線通信の接続の再発生（ステップ６２２）とタイマのタイムアウトの発生（ステップ６２４）とを監視する。
【００５３】
そして、ＮＦＣインタフェース１０５との近距離無線通信の接続の再発生が発生した場合には（ステップ６２２）、ステップ６１４からの処理に戻る。
一方、タイムアウトが発生した場合には（ステップ６２４）、モバイル装置情報テーブルの、ステップ６０２でＮＦＣインタフェース１０５との接続を検出したモバイル装置２のエントリのデフォルトサービスを、利用候補サービスに設定されているサービスに更新する（ステップ６２６）。
【００５４】
そして、利用候補サービスに設定されているサービスを用いる車載装置１の機能を起動し（ステップ６２８）、ステップ６０２からの処理に戻る。
以上、図６に示した利用サービス設定処理について説明した。
なお、図６に示した利用サービス設定処理では、ＮＦＣインタフェース１０５を介してサービス情報をモバイル装置２から取得するようにしたが、サービス情報は、Bluetoothによる無線通信が確立した後に、ＢＴインタフェース１０４を介して取得するようにしてもよい。
【００５５】
以上のような図６に示した利用サービス設定処理によれば、ユーザは、利用したいモバイル装置２のサービスに対応する傾きに傾けた状態で、モバイル装置２を車載装置１に近づけるだけで、当該サービスを車載装置１が利用するモバイル装置２のサービスに設定し、当該サービスを用いる車載装置１の機能を利用することができるようになる。
【００５６】
すなわち、たとえば、あらかじめ、モバイル装置２がユーザから見て左に傾いているときの傾斜角にハンズフリーテレフォンサービスを対応づけ、モバイル装置２がユーザから見て右に傾いているときの傾斜角にリモートＵＩサービスを対応づけておけば、ユーザは、図７ａに示すように、モバイル装置２を左に傾けて車載装置１に近づけた場合には、ハンズフリーテレフォンサービスが車載装置１が利用するモバイル装置２のサービスに設定され、車載装置１のハンズフリー通話機能が車載装置１においてモバイル装置２のサービスを利用して行う機能として設定される。また、図７ｂに示すように、モバイル装置２を右に傾けて車載装置１に近づけた場合には、リモートＵＩサービスが車載装置１が利用するモバイル装置２のサービスに設定され、車載装置１のリモートＵＩ機能が車載装置１においてモバイル装置２のサービスを利用して行う機能として設定される。
【００５７】
ところで、以上では、車載装置１への適用を例にとり、本発明の実施形態を説明したが、本実施形態は、モバイル装置２のサービスを利用した機能を提供する装置であれば、車載装置１以外の任意の装置に同様に適用可能である。
【００５８】
また、Bluetoothに代えてWi-Fiなどの他の無線通信を用いる場合や、NFCに代えて他の近距離無線通信を用いる場合にも同様に適用することができる。
なお、無線通信として近距離無線通信を利用したペアリングを毎回新たなに確立する必要のある無線通信を用いる場合や、近距離無線通信を利用して個人認証を行うシステムなどの、モバイル装置２を無線通信で車載装置１に接続する際に、必ず、モバイル装置２と車載装置１の近距離無線通信を接続する必要のあるシステムへの適用においては、本実施形態によれば、ペアリングや個人認証のための近距離無線通信の接続を利用して、車載装置１で用いるモバイル装置２のサービスの設定や切り替えを行えることとなり、本実施形態の有用性が顕著となる。
【符号の説明】
【００５９】
１…車載装置、２…モバイル装置、１０１…入力装置、１０２…表示装置、１０３…音声入出力装置、１０４…ＢＴインタフェース、１０５…ＮＦＣインタフェース、１０６…オペレーティングシステム、１０７…記憶装置、１０８…周辺装置、１１１…接続制御ＡＰＰ、１１２…ハンズフリーテレフォンＡＰＰ、１１３…モバイル装置ＵＩ制御ＡＰＰ、１１４…メディアプレイヤＡＰＰ、２０１…操作部、２０２…ディスプレイ、２０３…音声入出力部、２０４…ＢＴインタフェース、２０５…ＮＦＣインタフェース、２０６…モバイルオペレーティングシステム、２０７…記憶部、２０８…移動通信装置、２０９…周辺デバイス、２１１…移動電話ＡＰＰ、２１２…外部ＵＩ提供ＡＰＰ、２１３…プレイヤＡＰＰ、２１４…メールＡＰＰ。
【図１】
0006537435.tif 000002
【図２】
0006537435.tif 000003
【図３】
0006537435.tif 000004
【図４】
0006537435.tif 000005
【図５】
0006537435.tif 000006
【図６】
0006537435.tif 000007
【図７】
0006537435.tif 000008